(57)【要約】  加工効率を向上させることができる加工用ブラシ及びブラシ式加工装置を得る。  ブラシ式加工装置（１２）では、駆動源（１４）に設けられた往復回転軸（１６）に、加工用ブラシ（１０）のベース部（２０）が固定されている。このベース部（２０）からは、ブラシ部（２２）が往復回転軸（１６）の半径に沿った一方の側に延出されている。このため、往復回転軸（１６）が往復回転すると、ブラシ部（２２）における複数のブラシ毛（３４）が往復回転軸（１６）の周方向に往復揺動する。したがって、複数のブラシ毛（３４）の先端を被加工面に押し当てることにより、当該被加工面の除去対象を掻き落とすことができる。しかもこの場合、往復揺動する複数のブラシ毛（３４）の先端が除去対象に対して往復揺動方向の両側から繰り返し衝突することになるため、除去対象を効果的に除去することができる。
2013038507.tif 000002
【特許請求の範囲】
【請求項１】
駆動源に設けられて軸線周りに往復回転する往復回転軸に固定可能とされたベース部と、
前記ベース部から前記往復回転軸の半径に沿った一方の側に延出され、前記往復回転軸が往復回転することにより前記往復回転軸の周方向に往復揺動するブラシ部と、
を備えた加工用ブラシ。
【請求項２】
前記ベース部は、前記ブラシ部の根元が取り付けられたブラシ取付部と、当該ブラシ取付部の一端部から前記ブラシ部とは反対側へ延びる固定部と、を有し、前記ブラシ取付部が前記往復回転軸に沿い且つ前記ブラシ取付部を介して前記往復回転軸とは反対側に前記ブラシ部が延びるように前記固定部が前記往復回転軸に固定される請求項１に記載の加工用ブラシ。
【請求項３】
前記ベース部は、長尺な板金材料が長手方向中間部で屈曲されることにより形成されており、前記板金材料における屈曲部よりも長手方向一端側が前記固定部とされ、前記板金材料における前記屈曲部よりも長手方向他端側が前記ブラシ取付部とされている請求項２に記載の加工用ブラシ。
【請求項４】
前記ブラシ部におけるブラシ毛は、ナイロンによって形成され、直径が０．５φ〜５φの範囲内で且つ毛丈が５ｍｍ〜２００ｍｍの範囲内に設定されている請求項１〜請求項３の何れか１項に記載の加工用ブラシ。
【請求項５】
前記ベース部は、前記固定部に設けられた被係合部が前記往復回転軸に設けられた係合部と係合することにより、前記往復回転軸に対する相対回転を規制されると共に、前記往復回転軸に対する取付角度を前記往復回転軸の周方向に複数段に変更可能とされている請求項１〜請求項４の何れか１項に記載の加工用ブラシ。
【請求項６】
駆動力によって往復回転軸を往復回転させる駆動源と、
前記往復回転軸に前記ベース部が固定された請求項１〜請求項５の何れか１項に記載の加工用ブラシと、
を備えたブラシ式加工装置。
【発明の詳細な説明】
【技術分野】
【０００１】
本発明は、被加工面のバリ取り、研削、研磨、磨き、洗浄、仕上げ等の各種加工を行うための加工用ブラシ、及び該加工用ブラシを備えたブラシ式加工装置に関する。
【背景技術】
【０００２】
下記特許文献１に示された加工用ブラシは、円板状に形成された基台ユニットの軸線方向一側面に回転軸が同軸的に設けられており、基台ユニットの軸線方向他側面にブラシユニットが取り付けられている。このような加工用ブラシでは、基台ユニットの回転軸が駆動源（回転アクチュエータ）に装着されて加工用ブラシ全体が回転され、ブラシユニットが被加工面に押し当てられる。これにより、被加工面の除去対象（バリ等）が除去される。
【先行技術文献】
【特許文献】
【０００３】
【特許文献１】特開２００９−７８０５５号公報
【発明の開示】
【発明が解決しようとする課題】
【０００４】
しかしながら、上述の如き加工用ブラシでは、ブラシユニットが回転軸の軸線方向に延びているため、ブラケットユニットの回転時には、ブラシユニットにおける半径方向内側部分の回転速度が、半径方向外側部分の回転速度よりも遅くなる。このため、加工にムラが生じる可能性があり、ムラをなくすためには作業を繰り返す必要が生じる。したがって、加工効率を向上させる点で改善の余地がある。【０００５】
本発明は上記事実を考慮し、加工効率を向上させることができる加工用ブラシ及びブラシ式加工装置を得ることを目的としている。
【課題を解決するための手段】
【０００６】
請求項１に記載の発明に係る加工用ブラシは、駆動源に設けられて軸線周りに往復回転する往復回転軸に固定可能とされたベース部と、前記ベース部から前記往復回転軸の半径に沿った一方の側に延出され、前記往復回転軸が往復回転することにより前記往復回転軸の周方向に往復揺動するブラシ部と、を備えている。【０００７】
請求項１に記載の加工用ブラシでは、使用に際しては、駆動源に設けられた往復回転軸にベース部が固定される。このベース部からは、ブラシ部が往復回転軸の半径に沿った一方の側に延出されている。このため、駆動源の駆動力によって往復回転軸が往復回転すると、加工用ブラシのブラシ部が往復回転軸の周方向に往復揺動する。このため、ブラシ部における複数のブラシ毛の先端を被加工面に押し当てることにより、当該被加工面の除去対象（バリ、汚れ等）を複数のブラシ毛の先端によって掻き落とす（叩き落とす）ことができる。しかもこの場合、往復揺動する複数のブラシ毛の先端が除去対象に対して往復揺動方向の両側から繰り返し衝突することになるため、除去対象を効果的に除去することができる。また、ブラシ部が往復回転軸の半径に沿った一方の側に延出されているため、ブラシ部における複数のブラシ毛の先端の往復揺動の速度を場所によらず一定又は略一定にすることができる。これにより、加工にムラが生じることを防止又は抑制することができる。さらに、ベース部が駆動源の往復回転軸に固定されるため、当該ベース部から延出されたブラシ部に対して往復回転軸の回転力を直接的に伝達することができ、ブラシ部を強力に往復揺動させることができる。以上のことから、本発明では、被加工面のバリ取り、研削、研磨、磨き、洗浄、仕上げ等の各種加工を高い精度で効率的に行うことができる。【０００８】
請求項２に記載の発明に係る加工用ブラシは、請求項１に記載の加工用ブラシにおいて、前記ベース部は、前記ブラシ部の根元が取り付けられたブラシ取付部と、当該ブラシ取付部の一端部から前記ブラシ部とは反対側へ延びる固定部と、を有し、前記ブラシ取付部が前記往復回転軸に沿い且つ前記ブラシ取付部を介して前記往復回転軸とは反対側に前記ブラシ部が延びるように前記固定部が前記往復回転軸に固定される。【０００９】
請求項２に記載の加工用ブラシでは、ベース部に設けられた固定部が駆動源の往復回転軸に固定されると、ベース部に設けられたブラシ取付部が往復回転軸に沿って配置されると共に、当該ブラシ取付部を介して往復回転軸（駆動源）とは反対側にブラシ部（複数のブラシ毛）が延びる状態になる。これにより、例えば、駆動源を把持して被加工面に複数のブラシ毛を押し当てる際に、力を加え易くすることができる。【００１０】
請求項３に記載の発明に係る加工用ブラシは、請求項２に記載の加工用ブラシにおいて、前記ベース部は、長尺な板金材料が長手方向中間部で屈曲されることにより形成されており、前記板金材料における屈曲部よりも長手方向一端側が前記固定部とされ、前記板金材料における前記屈曲部よりも長手方向他端側が前記ブラシ取付部とされている。【００１１】
請求項３に記載の加工用ブラシでは、長尺な板金材料が長手方向中間部で屈曲されることによりベース部が形成されているため、ベース部をコンパクトで簡単な構成にすることができ、低コスト化を図ることができる。【００１２】
請求項４に記載の発明に係る加工用ブラシは、請求項１〜請求項３の何れか１項に記載の加工用ブラシにおいて、前記ブラシ部におけるブラシ毛は、ナイロンによって形成され、直径が０．５φ〜５φの範囲内で且つ毛丈が５ｍｍ〜２００ｍｍの範囲内に設定されている。【００１３】
請求項４に記載の加工用ブラシでは、ナイロン製のブラシ毛における直径が上記の如く太めに設定されることにより、被加工面の除去対象を効果的に除去することができる。しかも、当該ブラシ毛における毛丈が、上記の如く長めに設定されることにより、当該ブラシ毛を良好に撓ませることができるので、被加工面の凹凸に複数のブラシ毛を良好に追従させることができる。さらに、複数のブラシ毛の先端側を狭い隙間に挿入し易くなるので、狭い隙間の加工を容易に行うことができる。これにより、加工効率を一層向上させることができる。【００１４】
請求項５に記載の発明に係る加工用ブラシは、請求項１〜請求項４の何れか１項に記載の加工用ブラシにおいて、前記ベース部は、前記固定部に設けられた被係合部が前記往復回転軸に設けられた係合部と係合することにより、前記往復回転軸に対する相対回転を規制されると共に、前記往復回転軸に対する取付角度を前記往復回転軸の周方向に複数段に変更可能とされている。【００１５】
請求項５に記載の加工用ブラシでは、駆動源の往復回転軸に対するベース部の相対回転を規制することができると共に、往復回転軸に対するベース部の取付角度を往復回転軸の周方向に複数段に変更することができる。これにより、往復回転軸（駆動源）に対するベース部の取付角度、すなわち往復回転軸（駆動源）からの複数のブラシ毛の突出方向を、作業に応じて変更することができるので、作業性を向上させることができる。【００１６】
請求項６に記載の発明に係るブラシ式加工装置は、駆動力によって往復回転軸を往復回転させる駆動源と、前記往復回転軸に前記ベース部が固定された請求項１〜請求項５の何れか１項に記載の加工用ブラシと、を備えている。【００１７】
請求項６に記載の加工用ブラシでは、駆動源の駆動力によって往復回転軸が往復回転すると、当該往復回転軸にベース部が固定された加工用ブラシの複数のブラシ毛が往復回転軸の周方向に往復揺動する。この加工用ブラシは、請求項１〜請求項５の何れか１項に記載されたものであるため、前述した作用効果を得ることができる。
【発明の効果】
【００１８】
以上説明したように、本発明に係る加工用ブラシ及びブラシ式加工装置では、加工効率を向上させることができる。
【図面の簡単な説明】
【００１９】
【図１】本発明の実施形態に係るブラシ式加工装置の側面図である。
【図２】同ブラシ式加工装置の主要部の構成を示す正面図である。
【図３】同ブラシ式加工装置の加工用ブラシ及び往復回転軸の構成を示す分解斜視図である。
【図４】同ブラシ式加工装置において往復回転軸に対する加工用ブラシの取付角度の変更について説明するための図２に対応した正面図である。
【図５Ａ−Ｂ】図５Ａは、一方向に回転するブラシ毛によって被加工面の除去対象を除去する場合について説明するための模式図であり、図５Ｂは、往復揺動するブラシ毛によって被加工面の除去対象を除去する場合について説明するための模式図である。
【図６】同ブラシ式加工装置と同様のブラシ式加工装置において、毛丈が１００ｍｍのナイロン製のブラシ毛における直径を種々変更し、金属加工部品のバリ取付り加工について加工効率の比較試験を行った際の試験結果を示す線図である。
【発明を実施するための最良の形態】
【００２０】
以下、図１〜図５を参照して、本発明の実施形態に係る加工用ブラシ１０及びブラシ式加工装置１２について説明する。【００２１】
（構成）
本実施形態に係るブラシ式加工装置１２（ブラシ式加工機）は、被加工面のバリ取り、研削、研磨、磨き（清掃を含む）、洗浄（シミ抜きを含む）、仕上げ等の各種加工を行うためのものであり、図１及び図２に示されるように、駆動源１４と、当該駆動源１４の往復回転軸１６に取り付けられた加工用ブラシ１０とによって構成されている。駆動源１４は、作業者が把持可能な本体部１８を備えており、本体部１８の長手方向一端部から本体部１８の長手直角方向に突出した往復回転軸１６を、駆動力によって往復回転させる構成になっている。【００２２】
上述の駆動源１４としては、例えば、コンパクト・ツール株式会社製の「揺動アクションサンダー５０５Ｎ」を用いることができる。この「揺動アクションサンダー５０５Ｎ」は、圧縮空気の圧力によってスピンドル（往復回転軸）を往復回転させるものであり、ストローク（振幅）が５度に設定されたスピンドルを、１５０００ｓｔ／ｍｉｎの回転数で往復回転させる構成になっている。なお、駆動源１４としては、エアー式のものに限らず、電動式のものや、その他の駆動方式のものを用いてもよい。但し、往復回転軸のストロークが２度〜２０度の範囲内（ストロークの最適値は、後述するブラシ毛３４の直径によって変化する）に設定され、回転数が１００００ｓｔ／ｍｉｎ以上に設定されることが好ましい。【００２３】
図１〜図３に示されるように、加工用ブラシ１０は、上記往復回転軸１６に固定されるベース部２０と、該ベース部２０に取り付けられたブラシ部２２とを備えている。ベース部２０は、長尺な板金材料が長手方向中間部で略直角に屈曲されることによりＬ字状に形成されており、当該板金材料における屈曲部よりも長手方向一端側が固定部２０Ａとされ、当該板金材料における屈曲部よりも長手方向他端側がブラシ取付部２０Ｂとされている。ブラシ取付部２０Ｂは、固定部２０Ａの一端部から固定部２０Ａの厚さ方向一側へ向けて略直角に延出されており、固定部２０Ａよりも長尺に形成されている。【００２４】
また、固定部２０Ａの片面（ブラシ取付部２０Ｂが延出された側の面）には、ベース部２０を構成する板金材料よりも薄厚な板金材料によって形成された回転規制部２１（被係合部）が溶接等の手段によって接合されている。この回転規制部２１には、１２角孔３０（貫通孔）が形成されている。この１２角孔３０の内周には、１２角のレンチの内周と同様の凹凸形状が形成されている。また、固定部２０Ａの中央部には、１２角孔３０と同心の貫通孔２４が形成されており、当該貫通孔２４に挿入されたボルト２６（ここでは六角穴付ボルト）が、往復回転軸１６の先端部（軸線方向一端部）に形成されたネジ孔２８に螺合している。これにより、ベース部２０が往復回転軸１６の先端部に固定されている。【００２５】
上記固定状態では、往復回転軸１６の先端部に設けられたフランジ部１６Ａが回転規制部２１と面接触することにより、往復回転軸１６に対するベース部２０の傾きが規制される。また、ブラシ取付部２０Ｂは、固定部２０Ａから往復回転軸１６の基端側（軸線方向他端側）へ向けて延出され、往復回転軸１６に沿って略平行に配置される。さらに、往復回転軸１６の先端部に形成された６角凸部１６Ｂ（係合部）が前記１２角孔３０に嵌合（係合）する。この６角凸部１６Ｂは、往復回転軸１６の軸線方向から見て六角形状に形成されており、当該６角凸部１６Ｂが１２角孔３０に嵌合することにより、往復回転軸１６に対するベース部２０の相対回転が規制される。但し、６角凸部１６Ｂに対する１２角孔３０の嵌合角度が変更可能であるため、往復回転軸１６に対するベース部２０（すなわち加工用ブラシ１０）の取付角度を往復回転軸１６の周方向に複数段に変更可能とされている。具体的には、図４に一点鎖線で示される位置と図４に二点鎖線で示される位置との間（図４に矢印Ａで示される範囲）で、往復回転軸１６に対する加工用ブラシ１０の取付角度を３０度おきに変更可能とされている。【００２６】
一方、ブラシ部２２は、ブラシ取付部２０Ｂにおける固定部２０Ａとは反対側の面に取り付けられた複数（ここでは５つ）のチャンネルブラシ３２によって構成されている。これらのチャンネルブラシ３２は、長手方向がブラシ取付部２０Ｂの長手方向に沿う状態でブラシ取付部２０Ｂの幅方向に並んで設けられており、チャンネル（根元）が溶接等の手段によってブラシ取付部２０Ｂに固定されている。これにより、ブラシ部２２は、例えば、ブラシ植付長さＬ１が１００ｍｍ程度に設定され、ブラシ植付幅Ｌ２が３０ｍｍ程度に設定されている。【００２７】
ブラシ部２２における複数のブラシ毛３４は、各々の長手方向が沿う状態でブラシ取付部２０Ｂの厚さ方向一側（固定部２０Ａが延びる側とは反対側）へ延びており、固定部２０Ａにおける貫通孔２４の軸線方向と、複数のブラシ毛３４の長手方向とが略直角になるように構成されている。これら複数のブラシ毛３４は、本実施形態では、研磨剤を含まないナイロンによって形成されており、直径が０．８φに設定され、毛丈Ｌ３が１００ｍｍに設定されている。これら複数のブラシ毛３４を備えたブラシ部２２は、ベース部２０が往復回転軸１６に固定された状態では、ベース部２０から往復回転軸１６の半径に沿った一方（図１及び図２の矢印Ｂ方向）の側に延びるように配置される。つまり、往復回転軸１６の半径に沿った一方の側だけにブラシ部２２が設けられ、他方（図１及び図２の矢印Ｃ方向）の側にはブラシ部２２が設けられない構成になっている。このブラシ部２２（複数のブラシ毛３４）は、往復回転軸１６の往復回転時には、往復回転軸１６の周方向に高速で往復揺動（振動）する（図２の矢印Ｄ参照）。【００２８】
（作用及び効果）
次に、本実施形態の作用及び効果について説明する。
上記構成のブラシ式加工装置１２では、駆動源１４の駆動力によって往復回転軸１６が高速で往復回転すると、加工用ブラシ１０に設けられたブラシ部２２が往復回転軸１６の周方向に高速で往復揺動する。このため、ブラシ部２２における複数のブラシ毛３４の先端を被加工面に押し当てることにより、被加工面の除去対象（バリ、汚れ等）を複数のブラシ毛３４の先端によって掻き落とす（叩き落す）ことができる。しかもこの場合、高速で往復揺動する複数のブラシ毛３４の先端が除去対象に対して往復揺動方向の両側から繰り返し衝突することになるため、除去対象を効果的に除去することができる。【００２９】
つまり、図５Ａに示されるように、ブラシ毛３４´が一方向に移動（回転）する構成の場合、被加工面３６の除去対象３８に対してブラシ毛３４´の先端が片側からしか衝突しないため、除去対象３８が十分に除去されない可能性がある。これに対し、本実施形態では、図５Ｂに示されるように、除去対象３８がブラシ毛３４の先端で両側から繰り返し叩かれることになるため、効果的に除去対象３８を掻き落とすことができる。【００３０】
また、複数のブラシ毛３４が往復回転軸１６の半径に沿った一方の側に延出されているため、複数のブラシ毛３４の先端の往復揺動の速度を場所によらず一定又は略一定にすることができる。これにより、加工にムラが生じることを防止又は抑制することができる。さらに、ベース部２０が駆動源１４の往復回転軸１６に固定されるため、当該ベース部２０から延出されたブラシ部２２に対して往復回転軸１６の回転力を直接的に伝達することができ、ブラシ部２２を強力に往復揺動させることができる。つまり、例えば、ベース部がソレノイドによって往復移動（振動）される構成の場合、往復移動の復路はリターンスプリング等の弾性部材によってベース部が駆動されるため、当該ベース部に取り付けられたブラシ部を強力に往復移動させることができない可能性がある。また、前記弾性部材がへたることにより、往復揺動の力が弱くなることも懸念される。これに対し、本実施形態では、上述の如くブラシ部２２を強力に往復揺動させることができるので、被加工面から除去対象を強力に掻き落とすことができる。【００３１】
以上のことから、本実施形態では、被加工面のバリ取り、研削、研磨、磨き、洗浄、仕上げ等の各種加工を効率的に行うことができる。【００３２】
しかも、本実施形態では、加工用ブラシ１０のベース部２０は、単に往復回転軸１６に固定することができ且つブラシ部２２を取り付けることができるものであればよいため、ベース部２０を小型化することができる。これにより、加工用ブラシ１０及びブラシ式加工装置１２の軽量化を図ることができる。【００３３】
また、本実施形態では、加工用ブラシ１０のベース部２０に設けられた固定部２０Ａが駆動源１４の往復回転軸１６に固定されると、ベース部２０に設けられたブラシ取付部２０Ｂが往復回転軸に沿って配置されると共に、当該ブラシ取付部２０Ｂを介して往復回転軸１６（駆動源１４）とは反対側にブラシ部（複数のブラシ毛３４）が延びる状態になる。これにより、駆動源１４を把持して被加工面に複数のブラシ毛３４を押し当てる際に、力を加え易くすることができる。【００３４】
さらに、本実施形態では、長尺な板金材料が長手方向中間部で屈曲されることにより、加工用ブラシ１０のベース部２０が形成されているため、ベース部２０をコンパクトで簡単な構成にすることができ、低コスト化を図ることができる。【００３５】
また、本実施形態では、加工用ブラシ１０のブラシ毛３４は、ナイロンによって形成されており、直径が０．８φで且つ毛丈Ｌ３が１００ｍｍに設定されている。このように、ナイロン製のブラシ毛３４における直径が比較的太めに設定されることにより、被加工面の除去対象を効果的に除去することができる。しかも、ブラシ毛３４における毛丈Ｌ３が、上記の如く長めに設定されることにより、ブラシ毛３４を良好に撓ませることができるので、被加工面の凹凸に複数のブラシ毛３４を良好に追従させることができる。さらに、複数のブラシ毛３４の先端側を狭い隙間に挿入し易くなる（各ブラシ毛３４の先端側が曲がりながら狭い隙間に入ってゆく）ので、狭い隙間の加工を容易に行うことができる。またさらに、ブラシ毛３４の先端が削れることにより、ブラシ毛３４の先端にエッジが形成されるので、当該エッジが除去対象に衝突することにより、除去対象を効果的に除去することができる。これにより、加工効率を一層向上させることができる。【００３６】
なお、本願発明者は、本実施形態に係るブラシ式加工装置１２と同様のブラシ式加工装置において、ナイロン製のブラシ毛における直径及び毛丈を種々変更し、金属加工部品のバリ取付り加工について加工効率（性能）の比較を行った。具体的には、複数の細かい溝が形成されたアルミニウムのダイキャスト製品のバリ取り加工において、バリの取れ具合（加工効率）を比較した。以下の表１にその結果を示す。【００３７】
【表１】
2013038507.tif 000003
【００３８】
なお、表１において、○は、バリが完全に除去された場合であり、△は、若干のバリが残っていることが目視にて確認された場合であり、×は、多数のバリが残っていることが目視にて確認された場合である。この表１に示されるように、ナイロン製のブラシ毛３４における直径が０．５φ〜５φの範囲内に設定され、毛丈が５ｍｍ〜２００ｍｍの範囲内に設定されている場合には、当該範囲の外に設定されている場合と比較して、バリ取付り加工の加工効率が向上することが確認された。なお、ブラシ毛３４の直径は、規格により定まるため、上記表１に記載されている数値とは異なる場合があるが、請求項４に記載された数値範囲内に設定されていれば、バリ取付り加工の加工効率が向上すると考えられる。【００３９】
また、本実施形態では、ブラシ毛３４の材料であるナイロンに研磨剤が含まれていないため、被加工面が傷付くことを防止又は効果的に抑制することができる。例えば、印刷が施された被加工面の汚れを、印刷を剥がさずに掻き落とすことができる。また例えば、自動車の塗装面の汚れを、塗装に傷を付けずに掻き落とすことができる。【００４０】
また、本実施形態に係る加工用ブラシ１０では、ベース部２０に設けられた回転規制部２１の１２角孔３０に、往復回転軸１６の６角凸部１６Ｂが嵌合する構成であるため、駆動源１４の往復回転軸１６に対するベース部２０の相対回転を規制することができると共に、往復回転軸１６に対するベース部２０の取付角度を往復回転軸１６の周方向に複数段に変更することができる。これにより、往復回転軸１６（駆動源１４）に対するベース部の取付角度、すなわち往復回転軸１６（駆動源１４）からの複数のブラシ毛３４の突出方向を、作業に応じて変更することができるので、作業性を向上させることができる。【００４１】
以上説明したように、本実施形態に係る加工用ブラシ１０及びブラシ式加工装置１２では、被加工面のバリ取り、研削、研磨、磨き、洗浄、仕上げ等の各種加工を効率的に行うことができるので、例えば、バリ取り装置、ラップ装置或いは清掃装置として極めて有効である。また、例えば、魚の鱗取り装置や、貝殻の汚れ落とし装置等としても有効に利用することができる。【００４２】
（実施形態の補足説明）
上記実施形態では、ベース部２０の固定部２０Ａに、回転規制部２１が接合された構成にしたが、請求項１〜請求項６に係る発明はこれ限らず、回転規制部２１と固定部２０Ａとが一体に形成された構成にしてもよい。【００４３】
また、上記実施形態では、回転規制部２１（被係合部）の１２角孔３０に、往復回転軸１６の６角凸部１６Ｂ（係合部）が嵌合する構成にしたが、請求項１〜請求項６に係る発明はこれに限らず、被係合部及び係合部の形状は適宜変更することができる。【００４４】
また、上記実施形態では、往復回転軸１６に対するベース部２０（加工用ブラシ１０）の取付角度を往復回転軸１６の周方向に複数段に変更可能とされた構成にしたが、請求項１〜請求項４に係る発明はこれに限らず、往復回転軸に対する加工用ブラシの取付角度を変更不能とされた構成にしてもよい。【００４５】
また、上記実施形態では、ブラシ部２２が複数のチャンネルブラシ３２によって構成された場合について説明したが、請求項１〜請求項６に係る発明はこれに限らず、ブラシ部の構成は適宜変更することができる。例えば、ブラシ部を構成する複数のブラシ部がベース部に直接植毛された構成にしてもよい。【００４６】
また、上記実施形態では、ブラシ部２２における複数のブラシ毛３４が、各々の長手方向を沿わせた状態でブラシ取付部２０Ｂの厚さ方向一側へ延出された構成にしたが、請求項１〜請求項６に係る発明はこれに限らず、ブラシ部２２の先端側（ベース部とは反他側）へ向かうに従い複数のブラシ毛３４がバラける（複数のブラシ毛３４の間隔が広くなる）ように構成してもよい。【００４７】
また、上記実施形態では、ブラシ毛３４が研磨剤を含まないナイロンによって形成された構成にしたが、請求項１〜請求項６に係る発明はこれに限らず、ブラシ毛の材料が研磨剤を含んだ構成であってもよい。また、請求項１〜請求項３に係る発明では、ブラシ毛の材質、直径、毛丈、植毛長さ及び植毛幅は適宜変更することができる。例えば、ブラシ毛が金属材料に形成された構成にしてもよい。【００４８】
また、上記実施形態では、長尺な板金材料が長手方向中間部で屈曲されることによりベース部２０が形成された構成にしたが、請求項１及び請求項２に係る発明はこれに限らず、ベース部の材料は適宜変更することができる。【００４９】
また、上記実施形態では、ベース部２０が固定部２０Ａとブラシ取付部２０Ｂとを備えた構成にしたが、請求項１に係る発明はこれに限らず、ベース部の構成は適宜変更することができる。例えば、ベース部が円柱状に形成されて駆動源の往復回転軸に同軸的に固定される構成にしてもよい。この場合、例えば、当該円柱状のベース部の外周部に複数のブラシ毛が取り付けられる構成になる。【００５０】
また、上記実施形態では、駆動源１２の本体部１８を作業者が把持可能な構成（駆動源がハンディタイプとされた構成）にしたが、請求項１に係る発明はこれに限らず、例えば、ブラシ式加工装置がフレームに取り付けられ、当該フレームに支持されたワークの被加工面がブラシ式加工装置によって加工される構成にしてもよい。また例えば、ブラシ式加工装置がロボットアームに取り付けられる構成にしてもよい。【００５１】
その他、本発明は、その要旨を逸脱しない範囲で種々変更して実施できる。また、本発明の権利範囲が上記実施形態に限定されないことはいうまでもない。
【図１】
2013038507.tif 000004
【図２】
2013038507.tif 000005
【図３】
2013038507.tif 000006
【図４】
2013038507.tif 000007
【図５Ａ−Ｂ】
2013038507.tif 000008
【図６】
2013038507.tif 000009
【手続補正書】
【提出日】平成24年2月3日(2012.2.3)
【手続補正１】
【補正対象書類名】明細書
【補正対象項目名】００１４
【補正方法】変更
【補正の内容】
【００１４】
請求項５に記載の発明に係る加工用ブラシは、請求項１〜請求項４の何れか１項に記載の加工用ブラシにおいて、前記ベース部は、当該ベース部に設けられた被係合部が前記往復回転軸に設けられた係合部と係合することにより、前記往復回転軸に対する相対回転を規制されると共に、前記往復回転軸に対する取付角度を前記往復回転軸の周方向に複数段に変更可能とされている。
【手続補正２】
【補正対象書類名】特許請求の範囲
【補正対象項目名】請求項５
【補正方法】変更
【補正の内容】
【請求項５】
前記ベース部は、当該ベース部に設けられた被係合部が前記往復回転軸に設けられた係合部と係合することにより、前記往復回転軸に対する相対回転を規制されると共に、前記往復回転軸に対する取付角度を前記往復回転軸の周方向に複数段に変更可能とされている請求項１〜請求項４の何れか１項に記載の加工用ブラシ。
【国際調査報告】
2013038507.tif 000010
2013038507.tif 000011
2013038507.tif 000012
2013038507.tif 000013